(57)【要約】【課題】本願発明の目的は、局部的な輝度低下を改善し、モジュール基板の配線構成を改善し、放熱構造及び装置のスリム化をさらに向上させるディスプレイ装置を提供することである。【解決手段】ディスプレイ装置は、カバー部と；映像信号を受信する映像受信部と；映像受信部に受信される映像信号を処理する映像処理部と；カバー部に収容され、映像処理部によって処理される映像信号に基づいて映像を表示するディスプレイパネルと；カバー部に収容され、ディスプレイパネルに光を出射可能に配置される導光板と；導光板の側面にしたがって配置され、導光板の側面に光を照射する複数の光源と；複数の光源が装着され、カバー部のエッジ領域に配置されるモジュール基板と；カバー部に結合される一端部及びカバー部に対して締結されないモジュール基板をカバー部に対して支持する他端部を有する支持部材と；を含む。【選択図】図２
2011129508.tif 000002
【特許請求の範囲】
【請求項１】
ディスプレイ装置において、
カバー部と；
映像信号を受信する映像受信部と；
前記映像受信部に受信される前記映像信号を処理する映像処理部と；
前記カバー部に収容され、前記映像処理部によって処理される前記映像信号に基づいて映像を表示するディスプレイパネルと；
前記カバー部に収容され、前記ディスプレイパネルに光を出射可能に配置される導光板と；
前記導光板の側面にしたがって配置され、前記導光板の側面に光を照射する複数の光源と；
前記複数の光源が装着され、前記カバー部のエッジ領域に配置されるモジュール基板と；
前記カバー部に結合される一端部と、前記カバー部に対して締結されていない前記モジュール基板を前記カバー部に対して支持する他端部と、を有する支持部材と；
を含むことを特徴とするディスプレイ装置。
【請求項２】
前記モジュール基板は、ファスナーの締結のための締結ホールが形成されていないことを特徴とする請求項１に記載のディスプレイ装置。
【請求項３】
前記支持部材の前記一端部が、ファスナーによって前記カバー部に締結されることを特徴とする請求項１に記載のディスプレイ装置。
【請求項４】
前記ファスナーは、スクリューを含むことを特徴とする請求項３に記載のディスプレイ装置。
【請求項５】
前記モジュール基板は、前記導光板の側面に対して平行に直立配置されることを特徴とする請求項１に記載のディスプレイ装置。
【請求項６】
前記支持部材で前記モジュール基板を支持する前記他端部の幅は、互いに隣接する二つの前記光源の間の間隔より狭いことを特徴とする請求項１に記載のディスプレイ装置。
【請求項７】
前記支持部材の前記一端部は、前記導光板の底面を支持する前記カバー部の下板面に締結され、前記他端部が、前記カバー部の下板面から直立した前記カバー部の側壁に対して前記モジュール基板を支持するように折曲されることを特徴とする請求項１に記載のディスプレイ装置。
【請求項８】
ディスプレイパネルに光を供給するバックライトユニットにおいて、
カバー部と；
前記カバー部に収容され、ディスプレイパネルに光を出射可能に前記ディスプレイパネルの背面に配置される導光板と；
前記導光板の側面にしたがって配置され、前記導光板の側面に光を照射する複数の光源と；
前記複数の光源が装着され、前記カバー部のエッジ領域に配置されるモジュール基板と；
前記カバー部に結合される一端部及び前記カバー部に対して締結されていない前記モジュール基板を前記カバー部に対して支持する他端部を有する支持部材と；
を含むことを特徴とするバックライトユニット。
【請求項９】
前記モジュール基板は、ファスナーの締結のための締結ホールが形成されていないことを特徴とする請求項８に記載のバックライトユニット。
【請求項１０】
前記支持部材の前記一端部が、ファスナーによって前記カバー部に締結されることを特徴とする請求項８に記載のバックライトユニット。
【請求項１１】
前記ファスナーは、スクリューを含むことを特徴とする請求項１０に記載のディスプレイ装置。
【請求項１２】
前記モジュール基板は、前記導光板の側面に対して平行に直立配置されることを特徴とする請求項８に記載のバックライトユニット。
【請求項１３】
前記支持部材で前記モジュール基板を支持する前記他端部の幅は、互いに隣接する二つの前記光源の間の間隔より狭いことを特徴とする請求項８に記載のバックライトユニット。
【請求項１４】
前記支持部材の前記一端部は、前記導光板の底面を支持する前記カバー部の下板面に締結され、前記他端部が、前記カバー部の下板面から直立した前記カバー部の側壁に対して前記モジュール基板を支持するように折曲されることを特徴とする請求項８に記載のバックライトユニット。
【請求項１５】
ディスプレイ装置において、
カバー部と；
映像信号を受信する映像受信部と；
前記映像信号によって受信される前記映像信号を処理する映像処理部と；
前記カバー部に収容され、前記映像処理部によって処理される前記映像信号に基づく映像を表示するディスプレイパネルと；
前記カバー部に収容される導光板と；
前記カバー部のエッジ領域に配置され、複数の光源が装着されるモジュール基板と；
ファスナーによって前記カバー部に結合される第１端部及び前記モジュール基板が配置される第２端部を含む支持部材と；
を含むことを特徴とするディスプレイ装置。
【発明の詳細な説明】
【技術分野】
【０００１】
本発明は、光源及び導光板によって映像表示のための光を供給するバックライトユニット及びこれを有するディスプレイ装置に係り、より具体的には、光を照射する光源モジュールを支持する構造を改善したバックライトユニット及び該バックライトユニットを有するディスプレイ装置に関する。
【背景技術】
【０００２】
一般的に、ディスプレイ装置は、映像を表示するディスプレイパネルを備え、放送信号または多様なフォーマットの映像データを表示することができる装置として、テレビジョン、モニターなどで具現される。このようなディスプレイパネルは、その特性にしたがって液晶パネル、プラズマパネル等のような多様な構成形式で具現されて各種のディスプレイ装置に適用されている。ここで、パネル自体的に光を生成することができない液晶パネルがディスプレイパネルに適用される場合、ディスプレイ装置は、光を生成してディスプレイパネルに供給するバックライトユニットを備える。
【０００３】
このようなディスプレイ装置のバックライトユニットは、光を形成する光源として、過去一般的に採択された冷陰極蛍光ランプより、環境汚染、応答速度などの側面で優秀な特性を有する発光ダイオード素子を採択している。バックライトユニットは、導光板に対する光源の相対的な配置位置にしたがって、直下型及びエッジ（edge）型で区分することができる。
【０００４】
直下型バックライトユニットは、光源が導光板の背面にしたがって平行に配置されることによって、各光源が前面のディスプレイパネルに向いて直接に光を透射する。これに比べて、エッジ型バックライトユニットは、光源が導光板のエッジにしたがってバー（bar）形態に配置され、光源からの光が導光板の側面に入射して、ディスプレイパネルに投射される構成である。エッジ型バックライトユニットは、導光板のエッジに光源が配置されるので、直下型に比べて装置のスリム（slim）化が容易になり、多くのディスプレイ装置に採用されている。
【発明の開示】
【発明が解決しようとする課題】
【０００５】
従って、本発明の目的は、光源が装着されたモジュール基板をカバー部に支持する時に、モジュール基板にスクリュー締結のためのホールを形成する必要なしにモジュール基板をカバー部に支持させることができるディスプレイ装置を提供することである。
【課題を解決するための手段】
【０００６】
本発明の一実施形態によるディスプレイ装置は、カバー部と；映像信号を受信する映像受信部と；前記映像受信部に受信される前記映像信号を処理する映像処理部と；前記カバー部に収容され、前記映像処理部によって処理される前記映像信号に基づいて映像を表示するディスプレイパネルと；前記カバー部に収容され、前記ディスプレイパネルに光を出射可能に配置される導光板と；前記導光板の側面にしたがって配置され、前記導光板の側面に光を照射する複数の光源と；前記複数の光源が装着され、前記カバー部のエッジ領域に配置されるモジュール基板と；前記カバー部に結合される一端部及び前記カバー部に対して締結されていない前記モジュール基板を前記カバー部に対して支持する他端部を有する支持部材と；を含むことができる。
【０００７】
ここで、前記モジュール基板は、ファスナー（fastener）の締結のための締結ホールが形成されていないことができる。
【０００８】
また、前記支持部材の前記一端部が、ファスナーによって前記カバー部に締結されることができる。
【０００９】
ここで、前記ファスナーは、スクリューを含むことができる。
【００１０】
また、前記モジュール基板は、前記導光板の側面に対して平行に直立配置されることができる。
【００１１】
また、前記支持部材で前記モジュール基板を支持する前記他端部の幅は、互いに隣接する二つの前記光源の間の間隔より狭いことができる。
【００１２】
また、前記支持部材の前記一端部は、前記導光板の底面を支持する前記カバー部の下板面に締結され、前記他端部が、前記カバー部の下板面から直立した前記カバー部の側壁に対して前記モジュール基板を支持するように折曲されることができる。
【００１３】
また、本発明の他の実施形態によるディスプレイパネルに光を供給するバックライトユニットは、カバー部と；前記カバー部に収容され、ディスプレイパネルに光を出射可能に前記ディスプレイパネルの背面に配置される導光板と；前記導光板の側面にしたがって配置され、前記導光板の側面に光を照射する複数の光源と；前記複数の光源が装着され、前記カバー部のエッジ領域に配置されるモジュール基板と；前記カバー部に結合される一端部と、前記カバー部に対して締結されていない前記モジュール基板を前記カバー部に対して支持する他端部と、を有する支持部材と；を含むことを特徴とする。
【００１４】
ここで、前記モジュール基板は、ファスナーの締結のための締結ホールが形成されていないことができる。
【００１５】
また、前記支持部材の前記一端部が、ファスナーによって前記カバー部に締結されないことができる。
【００１６】
ここで、前記ファスナーは、スクリューを含むことができる。
【００１７】
前記モジュール基板は、前記導光板の側面に平行に直立配置されることができる。
【００１８】
また、前記支持部材で前記モジュール基板を支持する前記他端部の幅は、互いに隣接する二つの前記光源の間の間隔より狭いことができる。
【００１９】
前記支持部材の前記一端部は、前記導光板の底面を支持する前記カバー部の下板面に締結され、前記他端部が、前記カバー部の下板面から直立した前記カバー部の側壁に対して前記モジュール基板を支持するように折曲されることができる。
【００２０】
また、本発明の他の実施形態によるディスプレイ装置は、カバー部と；映像信号を受信する映像受信部と；前記映像信号によって受信される前記映像信号を処理する映像処理部と；前記カバー部に収容され、前記映像処理部によって処理される前記映像信号に基づく映像を表示するディスプレイパネルと；前記カバー部に収容される導光板と；前記カバー部のエッジ領域に配置され、複数の光源が装着されるモジュール基板と；ファスナーによって前記カバー部に結合される第１端部及び前記モジュール基板が配置される第２端部を含む支持部材と；を含むことができる。
【発明の効果】
【００２１】
本発明によると、光源が装着されたモジュール基板上にスクリュー締結のためのホールを形成することなく、モジュール基板をカバー部に支持させることによって、ディスプレイ領域の局部的な輝度低下を改善し、モジュール基板の配線構成を改善して、放熱構造及び装置のスリム化をさらに向上させることができる。
【図面の簡単な説明】
【００２２】
【図１】図１は、本発明の実施形態によるディスプレイ装置の分解斜視図である。
【図２】図２は、図１のディスプレイ装置を結合した時にモジュール基板の支持構成を示す拡大斜視図である。
【図３】図３は、図２のディスプレイ装置で支持部材がモジュール基板を支持することを示す拡大斜視図である。
【図４】図４は、図３のディスプレイ装置の側部断面図である。
【図５Ａ】図５Ａは、従来の構成によるモジュール基板の例示図である。
【図５Ｂ】図５Ｂは、本発明の実施形態によるモジュール基板の例示図である。
【図６】図６は、本発明の実施形態によるディスプレイ装置の制御構成ブロック図である。
【発明を実施するための最良の形態】
【００２３】
以下、添付図面を参照して本発明に対して詳しく説明する。以下の実施形態では、本発明の思想と直接的な関連のある構成に対して説明し、その以外の構成に対しては説明を省略する。しかし、本発明の思想が適用されたディスプレイ装置１を具現する時に、このように説明が省略された構成が必要でないことを意味するのではないことを明らかにする。
【００２４】
図１は、本発明の実施形態によるディスプレイ装置１の概略的な分解斜視図である。
【００２５】
図１に示すように、本の実施形態によるディスプレイ装置１は、収容空間を形成するカバー部１０、２０と、カバー部１０、２０による収容空間に収容され、映像が表示されるディスプレイパネル３０と、前記収容空間に収容され、ディスプレイパネル３０に映像が表示されるようにディスプレイパネル３０に光を供給するバックライトユニット４０と、を含む。
【００２６】
図１に示す各方向に対して説明する。Ｘ、Ｙ、Ｚ方向は、基本的にそれぞれ横、縦及び高さ方向を示す。ディスプレイパネル３０は、Ｘ−Ｙ平面上に配置され、バックライトユニット４０及びディスプレイパネル３０がＺ方向に沿って積層されるように配置される。以下、図１を含む各図面及び実施形態に対しては、このような方向定義に基づいて説明する。ここで、Ｘ、Ｙ、Ｚ方向の反対方向は、それぞれ−Ｘ、−Ｙ、−Ｚ方向を示し、Ｘ−Ｙ平面は、Ｘ方向の軸及びＹ方向の軸によって形成される平面を意味する。
【００２７】
カバー部１０、２０は、ディスプレイ装置１の外形を形成し、ディスプレイパネル３０及びバックライトユニット４０を収容する。カバー部１０、２０は、ディスプレイパネル３０及びバックライトユニット４０の上下をそれぞれカバーする上側カバー１０及び下側カバー２０を含む。
【００２８】
上側カバー１０及び下側カバー２０は、共に収容空間を形成し、この収容空間内にディスプレイパネル３０及びバックライトユニット４０を収容する。上側カバー１０のＸ−Ｙ平面に対して平行な板面は、ディスプレイパネル３０のディスプレイ領域が露出されるように開口部を形成する。
【００２９】
下側カバー２０のＺ方向の上側は、バックライトユニット４０を収容可能に開放する。下側カバー２０は、Ｚ方向に向いた下板面２１上にバックライトユニット４０を積層し、下板面２１からＺ方向に直立した側壁２３によってバックライトユニット４０を支持する。
【００３０】
ディスプレイパネル３０は、本願発明の実施形態によると、液晶パネルに具現される。ディスプレイパネル３０は、二つの基板（図示せず）の間に液晶層（図示せず）が充填され、駆動信号が印加されて、この液晶層（図示せず）の配列を調整することによって映像を表示する。ディスプレイパネル３０は、独自的に発光することはなく、ディスプレイ領域に映像を表示するためにバックライトユニット４０から光が提供される。ここで、ディスプレイ領域は、ディスプレイパネル３０でＸ−Ｙ平面と平行に映像が表示される領域を意味する。
【００３１】
ディスプレイパネル３０は、駆動回路基板（図示せず）を有し、この駆動回路基板から駆動信号が印加されるとディスプレイパネル３０の液晶（図示せず）が所定の角度に回転する。これによって、ディスプレイパネル３０のディスプレイ領域を構成する各セル（図示せず）単位で光の透過特性が異なるようになるので、ディスプレイ領域に映像が表示されることができる。
【００３２】
バックライトユニット４０は、ディスプレイパネル３０に光を供給するように、ディスプレイパネル３０の背面または底面に配置される。バックライトユニット４０は、ディスプレイパネル３０のディスプレイ領域に光を出射する導光板１００と、ディスプレイ装置１のエッジ（edge）領域に配置され、光を生成して導光板１００の側面に照射する光源モジュール２００と、導光板１００の底面に積層され、光をディスプレイパネル３０方向に反射する反射プレート３００と、導光板１００から出射される光の特性を調整する光学シート類４００と、光源モジュール２００と下側カバー２０との間に介在される中間ブラケット５００と、を含む。
【００３３】
導光板１００は、アクリル射出物などで具現されたプラスチック成型レンズとして、光源モジュール２００から入射される光をディスプレイパネル３０の全ディスプレイ領域に均一に伝達する。本実施形態において、導光板１００は、ディスプレイパネル３０に対応する大きさ及び形状を有し、下側カバー２０上に積層される。
【００３４】
導光板１００は、反射プレート３００と対向する下板面上に光を散乱させる導光板パターン、または光学パターンが形成されることによって、導光板１００から出射される光の均一性を向上させ、出射光量を調節することができる。すなわち、光学パターンをどのように形成するのかにしたがって、ディスプレイ領域での輝度が異なることができる。
【００３５】
光源モジュール２００は、ディスプレイパネル３０に提供するための光を生成する。光源モジュール２００は、導光板１００の側面にしたがって、バックライトユニット４０のエッジ領域に配置される。この時、光源モジュール２００は、生成した光が導光板１００の側面に入射されるように、直立して配置される。
【００３６】
光源モジュール２００は、本実施形態によると、導光板１００のＹ方向のエッジ及び−Ｙ方向のエッジに配置されるように表現したが、これは実施形態に過ぎず、光源モジュール２００の数量または配置位置などが本発明の思想を限定することではない。
【００３７】
光源モジュール２００から生成された光は、Ｙ方向または−Ｙ方向に導光板１００に照射された後、導光板１００からＺ方向に出射されてディスプレイパネル３０に入射される。したがって、ディスプレイパネル３０は、Ｘ−Ｙ平面に平行なディスプレイ領域上に映像を形成することができる。
【００３８】
反射プレート３００は、導光板１００の背面または底面に配置され、ディスプレイパネル３０に向く方向に各導光板１００に照射される光を反射させる。
【００３９】
光学シート類４００は、ディスプレイパネル３０に対して平行に、且つディスプレイパネル３０の背面に少なくとも１枚以上積層される。光学シート類４００は、プリズム（prism）シート、拡散シート、保護フィルムなどを含み、拡散プレート４００によって拡散される光の特性を調節してディスプレイパネル３０に伝達する。
【００４０】
中間ブラケット５００は、光源モジュール２００に接触する状態で下側カバー２０のエッジ領域に設けられる。中間ブラケット５００は、熱伝導性の高い金属材質を含むことによって、光源モジュール２００で発生する熱を效率的に放射させる。
【００４１】
以下、ディスプレイ装置１を結合させた構成の例示に対して図２を参照しながら説明する。図２は、ディスプレイ装置１を結合した時に、ディスプレイ装置１の−Ｙ方向エッジ領域を示す拡大側部断面図である。
【００４２】
図２に示すように、光源モジュール２００は、下側カバー２０の側壁２３にしたがってＸ方向に延長される。光源モジュール２００は、光を生成して導光板１００の側面に照射する複数の光源２１０と、この複数の光源２１０が装着されるモジュール基板２２０と、を含む。複数の光源２１０は、Ｘ方向にしたがって順次に配置される。
【００４３】
光源２１０は、発光ダイオード素子（light-emitting diode、ＬＥＤ）で具現され、モジュール基板２２０上に装着される。光源２１０には、モジュール基板２２０から駆動電源及び点滅制御信号が供給される。ここで、光源モジュール２００が含む各光源２１０の光照射方向は、等しい。
【００４４】
モジュール基板２２０に装着される光源２１０は、青色ＬＥＤ、緑色ＬＥＤ及び赤色ＬＥＤを含むことができる。また、各カラーのＬＥＤから放出される青色光、緑色光及び赤色光が互いに混色されることによって、優秀なカラー再現性を有する白色光を形成することができる。しかしながら、これは実施形態に過ぎず、光源２１０は、白色光を直接的に生成する白色ＬＥＤを含むこともできる。
【００４５】
モジュール基板２２０は、装着された光源２１０に対してディスプレイ装置１のシステム電源からの電力を提供するための配線構成（図示せず）を有する。モジュール基板２２０上の複数の光源２１０は、複数のグループを形成し、前記配線構成は、各グループ別に電力を伝達することによって、複数の光源２１０の点滅を選択的に制御するローカルデーミング（local  dimming）の具現が可能である。
【００４６】
モジュール基板２２０は、下板面２１に対して直立し、側壁２３に対して平行に配置される。モジュール基板２２０は、複数の光源２１０の配置方向にしたがってＸ方向に延長される。このように、直立したモジュール基板２２０上に光源２１０が装着されることによって、光源２１０からの光がＹ方向に照射される。
【００４７】
光源２１０のＹ方向の前方には、導光板１００が位置し、光源２１０から照射された光は導光板１００の側面に入射される。
【００４８】
一方、中間ブラケット５００は、モジュール基板２２０と下側カバー２０との間に配置される。中間ブラケット５００は、下側カバー２０の下板面２１及び側壁２３が接する折曲領域にしたがってＸ方向に延長される。中間ブラケット５００は、下板面２１に接する第１ブラケット板面５１０と、第１ブラケット板面５１０から折曲され、且つ側壁２３に接する第２ブラケット板面５２０と、を含む。
【００４９】
このような構成において、モジュール基板２２０を中間ブラケット５００及び下側カバー２０に対して結合する構成が必要とされるので、従来には、スクリューによってモジュール基板２２０を下側カバー２０に直接的に締結する構成が提案されている。しかしながら、このような従来の構成は、モジュール基板２２０にスクリュー締結のための締結ホールを貫通形成しなければならないので、光源２１０に対する配線構成をモジュール基板２２０に形成する時に、発熱側面でも、モジュール基板２２０の幅を減らす側面でも不利だった。これに対して、さらに詳しい内容は後述する。
【００５０】
本実施形態によるディスプレイ装置１は、一端部が下側カバー２０に締結され、他端部がモジュール基板２２０を下側カバー２０に対して支持する支持部材６００を適用する。従って、モジュール基板２２０にスクリューの締結のための締結ホールを形成する必要なしに、モジュール基板２２０を支持することができる。
【００５１】
一方、図２及び図５に示すホールは、円形で図示されているが、発明の思想はこれに限定されない。ホールという用語は、スクリューまたはリベットなどのようなファスナー（fastener）を収容することができる正四角形、直四角形、三角形、楕円形などの多様な形状の開口部を含むことができる。
【００５２】
支持部材６００は、下板面２１に平行に延長され、支持部材締結ホール６１１が貫通形成された締結部６１０と、締結部６１０から直立するように折曲延長された支持部６２０と、を含む。締結部６１０は、スクリュー７００によって中間ブラケット５００及び下側カバー２０と共に締結され、支持部６２０は互いに隣接する二つの光源２１０の間のモジュール基板２２０の一領域を支持する。
【００５３】
ここで、締結部６１０の幅Ｗ１は、スクリュー７００の規格による支持部材締結ホール６１１の直径より大きい。支持部６２０の幅Ｗ２は、互いに隣接する二つの光源２１０の間の間隔より小さく、これによって、光源２１０の光の照射が支持部６２０によって干渉されないこともできる。
【００５４】
以下、支持部材６００がモジュール基板２２０を支持している状態を、図３及び図４を参照して説明する。図３は、図２に示す支持部材６００がモジュール基板２２０を支持していることを示す拡大斜視図であり、図４は図３の側部断面図である。
【００５５】
図３及び図４に示すように、支持部材６００は、締結部６１０が第１ブラケット板面５１０の上に位置し、支持部６２０が互いに隣接する二つの光源２１０の間のモジュール基板２２０に接するように配置される。締結部６１０に形成された支持部材締結ホール６１１は、中間ブラケット締結ホール５１１及び下側カバー締結ホール２５に対応する。スクリュー７００によって、これら締結ホール２５、５１１、６１１を共に締結すれば、締結部６１０は中間ブラケット５００及び下側カバー２０に締結される。
【００５６】
本実施形態による図１乃至図４の中間ブラケット５００は、一つのピース（piece）で図示されているが、本発明の思想はこれに限定されず、二つ以上のピースで組み立てたブラケットを使用することもできる。また、本実施形態による中間ブラケット５００は、“Ｌ”字形態を有しているが、本発明の思想はこれに限定されず、“Ｔ”字形態を有することもできる。
【００５７】
また、図４、図５Ａ、及び図５Ｂに示すスクリュー７００は、ラウンドヘッドを有するように図示されているが、本発明の思想は、これに限定されず、例えばスクリュー７００が平坦なヘッドを有することもできる。また、スクリュー７００は、ファスナー（fastener）の単なる一実施形態に過ぎず、ファスナーは、スクリューのようにねじ山を有したり、リベットのようにねじ山を有しない形態で具現されることができる。
【００５８】
本実施形態では、スクリュー７００によって締結部６１０を中間ブラケット５００及び下側カバー２０に共に締結するように表現したが、本発明の思想はこれに限定されない。例えば、中間ブラケット５００と下側カバー２０との間に別途の結合構成が設けられ、スクリュー７００は、締結部６１０を中間ブラケット５００のみに対して締結する構成も可能である。
【００５９】
支持部６２０の幅Ｗ２は、互いに隣接する二つの光源２１０の間の間隔であるＤより狭いので、互いに隣接する二つの光源２１０の間に配置されてモジュール基板２２０を支持することができる。
【００６０】
図２及び図３に示す幅Ｗ１は、幅Ｗ２より大きく図示されているが、本発明の思想はこれに限定されず、幅Ｗ１が幅Ｗ２と等しかったり、幅Ｗ１が幅Ｗ２より小さかったりすることができる。しかしながら、幅Ｗ１が幅Ｗ２と等しかったり、幅Ｗ２より小さかったりすれば、間隔Ｄは減少されないことができる。ただ、このような場合に、後述する内容のような、モジュール基板内の配線のための空間に関する効果は、達成されることができる。
【００６１】
モジュール基板２２０は、支持部６２０によって支持されることで、下板面２１に対する直立を維持し、光源２１０からの光ＬがＹ方向の導光板１００の側面に照射されるようにする。
【００６２】
このように、エッジ型バックライトユニット４０では、スクリュー締結のための締結ホールをモジュール基板２２０に形成しなくても、簡単な構造で下側カバー２０に対してモジュール基板２２０を支持することができる。
【００６３】
以下、従来の構成による締結ホール２２３が形成されたモジュール基板２００ａ及び本実施形態による締結ホール２２３に形成されないモジュール基板２００ｂの比較について、図５を参照しながら説明する。
【００６４】
図５は、従来の構成によるモジュール基板２００ａ及び本実施形態によるモジュール基板２００ｂを比べる例示図である。
【００６５】
図５（Ａ）は、従来の構成による光源モジュール２００ａで締結ホール２２３が形成されたモジュール基板２２０ａの側部断面図及び平面図である。
【００６６】
モジュール基板２２０ａの上には、複数の光源２１０ａが装着され、各光源２１０ａを点滅させるための配線２２１ａが光源２１０ａの装着方向にしたがってモジュール基板２２０ａに形成される。複数の光源２１０ａは、グループを形成し、各光源２１０ａのグループ別に配線２２１ａが連結されることによって選択的な点滅が可能になる。
【００６７】
モジュール基板２２０ａには、スクリュー７１０によって締結される締結ホール２２３が互いに隣接する二つの光源２１０ａの間に貫通形成される。ここで、締結ホール２２３が位置する二つの光源２１０ａの間には、締結ホール２２３及びスクリュー７１０のスクリューヘッドのための空間を確保しなければならない。従って、互いに隣接する二つの光源２１０ａの間の間隔において、締結ホール２２３が位置する場合の間隔ＤＡ２は、締結ホール２２３が位置しない場合の間隔ＤＡ１より大きい。
【００６８】
このため、締結ホール２２３及びスクリュー７１０が位置する領域に対応する導光板１００の側面に照射される光量が相対的に少なくなり、それによって、暗部が発生する場合がある。
【００６９】
また、締結ホール２２３がモジュール基板２２０ａを貫通形成するので、モジュール基板２２０ａにおいて締結ホール２２３の直径Ｒの幅内に配線２２１ａを構成することが難しい。したがって、配線２２１ａの間の間隔を小さくしたり、モジュール基板２２０ａの幅ＭＡを伸ばしたりする場合、前者の場合は放熱側面で不利で、後者の場合は装置のスリム化が難しい。
【００７０】
一方、図５（Ｂ）は、本実施形態による支持部材６００によって支持される光源モジュール２００ｂのモジュール基板２２０ｂの側部断面図及び平面図である。
【００７１】
図５（Ａ）の従来の構成と異なるように、モジュール基板２２０ｂには、締結ホール２２３が形成されていない。従って、スクリュー７１０及び締結ホール２２３を考慮せずに、光源２１０ｂの間の間隔ＤＢを均一に形成して、暗部の発生を排除することができる。
【００７２】
また、図５（Ａ）の従来の構成と異なるように、配線２２１ｂの配置が締結ホール２２３によって干渉されない。従って、等しい配線２２１ｂの間隔及び配線２２１ｂの数を前提とする場合、モジュール基板２２０ｂの幅ＭＢは、従来構成のモジュール基板２２０ａの幅ＭＡより小さく構成することができる。これによって、ディスプレイ装置１をさらにスリム化することができる。
【００７３】
また、等しいモジュール基板２２０ｂの幅を前提とする場合、従来の構成に比べて配線２２１ｂの数を増加させることができ、または配線２２１ｂの間の間隔を相対的に大きく構成することができるので放熱側面でより優秀である。
【００７４】
このように、本発明の実施形態に従って、下側カバー２０に対して締結されていないモジュール基板２２０を下側カバー２０に支持する支持部材６００を適用することによって、ディスプレイ領域の局部的な輝度低下を改善し、モジュール基板２２０の配線構成を改善して、放熱構造及び装置のスリム化をさらに向上させることができる。
【００７５】
一方、本実施形態では、光源モジュール２００と下側カバー２０との間に中間ブラケット５００が介在されるように表現されているが、中間ブラケット５００なしに光源モジュール２００が下側カバー２０に直接的に接する構成についても、本願発明の思想が適用されることができる。
【００７６】
一方、前記のように説明した実施形態は、多様な形態で具現されるディスプレイ装置１に適用されることができる。以下、テレビジョンで具現されるディスプレイ装置１に対して本発明の実施形態が適用される例示について、図６を参照して説明する。
【００７７】
図６は、本実施形態によるディスプレイ装置１の構成ブロック図である。図６において、実線は映像信号または制御信号の伝達、点線は光の伝達を意味する。
【００７８】
図６に示すように、本実施形態によるディスプレイ装置１は、映像信号を受信する映像受信部５０と、映像受信部５０に受信される映像信号を処理する映像処理部６０と、映像処理部６０によって処理される映像信号に基づく映像を表示するディスプレイパネル７０と、ディスプレイパネル７０に映像が表示されることができるように光を供給するバックライトユニット８０と、を含む。
【００７９】
映像受信部５０は、次のように様々な規格を有することができる。例えば、ディスプレイ装置１がテレビジョンで具現される場合、映像受信部６０は、放送局（図示せず）から送出されるＲＦ（ｒａｄｉｏ  ｆｒｅｑｕｅｎｃｙ）信号を無線で受信したり、またはコンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格などによる映像信号を受信したりすることができる。または、映像受信部５０は、ディスプレイ装置１がコンピュータモニターである場合にＶＧＡ方式によるＲＧＢ信号を伝達することができるＤ−ＳＵＢや、ＤＶＩ（ｄｉｇｉｔａｌ  ｖｉｄｅｏ  ｉｎｔｅｒａｃｔｉｖｅ）、ＨＤＭＩ規格などの映像信号を受信するように具現することができる。
【００８０】
映像処理部６０は、映像受信部５０から伝達される映像信号に対して、既に設定された多様な映像処理プロセスを行う。映像処理部６０が行う映像処理プロセスの種類は限定されないので、例えば多様な映像フォーマットに対応するデコーディング（ｄｅｃｏｄｉｎｇ）及びエンコード（ｅｎｃｏｄｉｎｇ）、デインターレース（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ減少（ｎｏｉｓｅ  ｒｅｄｕｃｔｉｏｎ）、ディテールインヘンスモント（ｄｅｔａｉｌ  ｅｎｈａｎｃｅｍｅｎｔ）等を含むことができる。
【００８１】
映像処理部６０は、このような各プロセスを独自的に行うことができる個別的な構成で具現されたり、またはいろいろな機能を統合させた一体型構成で具現されたりすることができる。
【００８２】
ディスプレイパネル７０及びバックライトユニット８０の構成は、前述した実施形態の構成と実質的に等しいので、その説明を省略する。
【００８３】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００８４】
１      ディスプレイ装置
１０      上側カバー
２０      下側カバー
２１      下板面
２３      側壁
３０      ディスプレイパネル
４０      バックライトユニット
１００    導光板
２００    光源モジュール
２１０    光源
２２０    モジュール基板
３００    反射プレート
４００    光学シート類
５００    中間ブラケット
５１０    第１ブラケット板面
５２０    第２ブラケット板面
６００    支持部材
６１０    締結部
６２０    支持部
７００    スクリュー
【図１】
2011129508.tif 000003
【図２】
2011129508.tif 000004
【図３】
2011129508.tif 000005
【図４】
2011129508.tif 000006
【図５Ａ】
2011129508.tif 000007
【図５Ｂ】
2011129508.tif 000008
【図６】
2011129508.tif 000009